(57)【要約】      （修正有）【課題】軽量でありながら靴の反りを十分に抑制することが可能であり、しかも通気性、吸湿性が良く、制作作業にも利用可能な強度を有する靴類の保形具を提供する。【解決手段】靴の前方内部に挿入され、靴のつま先部及び甲部の形状に概ね相似し、皮革によりモノコック構造に形成された前足部２と、靴の踵部に挿入され、靴の踵部に概ね相似し、皮革によりモノコック構造に形成された後足部３とを、軸５を中心に揺動自在に連結して構成する。また、前記の前足部２と、靴の踵部及び筒部に挿入され、靴の踵部及び筒部に概ね相似し、皮革によりモノコック構造に形成された胴筒部とを、弾性体により連結して構成しても良い。【選択図】図１
0003181601.tif 000002
【実用新案登録請求の範囲】
【請求項１】
靴の前方内部に挿入され、靴のつま先部及び甲部の形状に概ね相似し、皮革によりモノコック構造に形成された前足部と、靴の踵部に挿入され、靴の踵部に概ね相似し、皮革によりモノコック構造に形成された後足部とを、揺動自在に連結した靴類の保形具。
【請求項２】
靴の前方内部に挿入され、靴のつま先部及び甲部の形状に概ね相似し、皮革によりモノコック構造に形成された前足部と、靴の踵部及び筒部に挿入され、靴の踵部及び筒部に概ね相似し、皮革によりモノコック構造に形成された胴筒部とを、弾性体により連結した靴類の保形具。
【請求項３】
弾性体を板状の皮革を屈曲して形成した請求項２記載の靴類の保形具。
【考案の詳細な説明】
【技術分野】
【０００１】
本案は、靴の型崩れを防止するための保形具に関し、より詳しくは型崩れの防止に止まらず、靴内の脱臭や湿気の除去をも可能な、靴類の形状保形具に関するものである。
【背景技術】
【０００２】
従来例に係る靴の保形具は、靴のつま先部とかかと部に似せた形状の木型を、ヒンジ等を介して連結したものが汎用されている。木型が用いられるのは吸湿性を高めるためであるが、重量が大きいためつま先部に似せた形状の木型は底面がえぐられた形状となっている。
【０００３】
脱臭及び乾燥機能を備えた靴の保形具が特許文献１において開示されている。この考案は、靴のつま先形に形成された中空体の保形部に、脱臭剤及び乾燥剤を交換自在に収容するものである。
【０００４】
平板を筒状に構成し、長靴等の保形具として用いる考案が特許文献２に開示されている。
【０００５】
薄板状のシート材を複数組み合わせてブーツの保形具を構成した考案が特許文献３に開示されている。
【０００６】
ブーツの対向する内面にそれぞれ圧接可能な対向一対の保形体により、ブーツの内面を圧接するブーツ保形具が特許文献４に開示されている。
【先行技術文献】
【特許文献】
【０００７】
【特許文献１】登録実用新案公報第３０２７１００号
【特許文献２】実開昭６２−１６３０６号公報
【特許文献３】登録実用新案公報第３１７７４５１号
【特許文献４】特開２００３−１５９１０２号公報
【考案の概要】
【考案が解決しようとする課題】
【０００８】
上記木型を用いた保形具は一足当たり７００〜８００グラムと重く、旅行等に携帯するには不向きであった。また、通気性と軽量化のためつま先部の底面をえぐって構成してあり、靴の反りを十分に補修することが出来なかった。
【０００９】
女性用のロングブーツは、はき口がふくらはぎよりも上方となるよう胴筒部が長いため、脱いだときに胴筒部が折れ曲がりやすく、この折れ曲がりが繰り返されたり、折れ曲がり状態にて長時間放置されると、折れ曲がり部に癖がつき型崩れや皺が発生する。係る不都合を回避すべく、従来型のブーツ保形具は、ブーツの胴筒部内面から弾性体により押圧するものが多いが、係る保形具は余計な負荷を与えてしまい、胴筒部を変形させてしまう恐れが有るとともに、ソフトブーツでは自立しにくく、胴筒部が折れてしまうことを回避しづらいという難点があった。
【００１０】
更には従来の木製ブーツ保形具は、一足の重量が６Ｋｇに達し、旅行等に携帯することは無理なものであった。木製の保形具は靴制作時の木型としても利用されるが、６Ｋｇに達する木型は制作者に大きな負担を与えるものであった。
【００１１】
胴筒部のみプラスチック製の簡易保形具も存在するが、モールドを使用するためサイズや形状の変化に対応できないという難点を有するものである。また、強度も足りずブーツの制作作業には使用できないものであった。
【００１２】
そこで本考案は軽量でありながら靴の反りを十分に抑制することが可能であり、しかも通気性、吸湿性が良い靴類の保形具を提供することを目的とする。
【００１３】
更には、ブーツ等胴筒部が長い靴類であっても軽量でありながら胴筒部の折れ曲がりを抑制可能であり、しかも制作作業にも利用可能な強度を有する靴類の保形具を提供することを目的とする。
【課題を解決するための手段】
【００１４】
上記の目的を達成する本発明の構成は次の通りである。
【００１５】
（１）  請求項１に記載の考案は、靴の前方内部に挿入され、靴のつま先部及び甲部の形状に概ね相似し、皮革によりモノコック構造に形成された前足部と、靴の踵部に挿入され、靴の踵部に概ね相似し、皮革によりモノコック構造に形成された後足部とを、揺動自在に連結して構成した。
【００１６】
（２）  請求項２に記載の考案は、靴の前方内部に挿入され、靴のつま先部及び甲部の形状に概ね相似し、皮革によりモノコック構造に形成された前足部と、靴の踵部及び筒部に挿入され、靴の踵部及び筒部に概ね相似し、皮革によりモノコック構造に形成された胴筒部とを、弾性体により連結して構成した。
【００１７】
（３）  請求項３に記載の考案は、請求項２に記載の保形具において、弾性体を板状の皮革を屈曲して構成した。
【考案の効果】
【００１８】
本考案に係る保形具は、皮革により形成されること及び内部が空洞のモノコック構造を採用していることから、重量の抑制が可能となり、請求項１記載の短靴用のもので１足がおよそ２４０ｇと、旅行等にも十分携帯可能なものである。請求項２又は３記載のブーツ等に対応するものでも、１足がおよそ１．５Ｋｇ程度であり、従来の木型のおよそ２５％程度の重量に過ぎず、制作者に与える肉体的負担を軽度のものとすることが可能となる。
【００１９】
また、革製であることから通気性、吸湿性に優れ、更にはモノコック構造であることから、内部に乾燥剤や除菌剤を挿入することも可能となり、靴の劣化防止や衛生面の向上も図れるものである。
【００２０】
更にはモノコック構造であることから強度にも富み、靴の反りを十分に抑制できるものである。具体的には、図５に示すように請求項１記載の保形具１を装備した短靴１１の場合は、甲部１２、つま先部１３及び踵部１４にそれぞれ矢印方向の押圧力が加わり、靴の型崩れを抑えるとともにシワを伸ばすことも可能となるのである。ブーツ等の長靴１５に請求項２又は３に記載の保形具６を装備した場合は、図１０に示すように靴のつま先部１６、筒部１７に矢印方向の押圧力が加わり、靴の型崩れを抑えるとともにシワを伸ばすことも可能となるのである。
【００２１】
モノコック構造故の強度により、本考案に係る保形具は靴制作時の木型としての役割も十分果たせるものである。
【図面の簡単な説明】
【００２２】
【図１】請求項１記載の考案の斜視図
【図２】請求項１記載の考案における前足部の正面図
【図３】同右側面図
【図４】a  請求項１記載の考案における後足部の正面図                                 b  同左側面図
【図５】請求項１記載の考案の実施状態を示す説明図
【図６】請求項２又は３記載の考案の斜視図
【図７】a  請求項２又は３記載の考案における前足部の正面図                          b  同右側面図
【図８】請求項２又は３記載の考案における胴筒部の正面図
【図９】同Ａ−Ａ線断面図
【図１０】請求項２又は３記載の考案の実施状態を示す説明図
【考案を実施するための形態】
【００２３】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２４】
請求項１記載の考案における保形具１は、図１に示すように前足部２と後足部３とにより成るものである。
【００２５】
前足部２は、図２、図３に示すように靴のつま先部及び甲部の形状に概ね相似した形状を呈し、内部が空洞のモノコック構造を有するものである。但し、完全なモノコック構造ではなく、右側面側は開放された形状となっている。係る開放された形状となっていることから、内部に乾燥剤等を容易に装入できるものである。
【００２６】
請求項１記載の考案における後足部３は、図４ａ，ｂに示すように、靴の踵部の形状に概ね相似した形状を呈し、内部が空洞のモノコック構造を有するものである。但し、完全なモノコック構造ではなく、平面側、左側面側は開放された形状となっている。係る開放された形状となっていることから、内部に乾燥剤等を容易に装入できるものである。
【００２７】
後足部３の正面側側壁３ａと背面側側壁３ｂとに渡って架橋部材４が設けてある。架橋部材４は、保形具１の出し入れを容易にするための摘みとしての役割を果たすとともに、正面側側壁３ａ及び背面側側壁３ｂを内部から外部へ押圧する役目も果たすものである。
【００２８】
前足部２と後足部３とは軸５により、揺動自在に連結されている。揺動自在に設けたのは、図５に示すように、靴内に挿入する作業を容易にするためである。
【００２９】
前足部２、後足部３、架橋部材４共に素材は靴本底に用いられる皮革を用いている。これは十分な強度を持たせるためであり、具体的には例えばベンズやドードー等を利用可能である。
【００３０】
請求項２又は３記載の考案における保形具６は、図６に示すように前足部７と胴筒部８とにより成るものである。
【００３１】
前足部７は、図７ａ，ｂに示すように靴のつま先部及び甲部の形状に概ね相似した形状を呈し、内部が空洞のモノコック構造を有するものである。但し、完全なモノコック構造ではなく、後述の弾性体１０を取付ける部分を除き右側面側は開放された形状となっている。係る開放された形状となっていることから、内部に乾燥剤等を容易に装入できるものである。
【００３２】
請求項２又は３記載の考案における胴筒部８は図８に示すようにブーツ等の筒部の形状に概ね相似した形状を呈し、図９に示すように内部が空洞のモノコック構造を有するものである。但し、完全なモノコック構造ではなく、平面上端の略半分は図６に示すように開閉自在な蓋体９となしてあり、摘み９ａが取付けてある。開閉自在な蓋体９を設けたのは内部に乾燥剤等を容易に装入可能とするためである。
【００３３】
前足部７と胴筒部８の間には、弾性体１０を介在してある。弾性体１０は板バネ等も利用可能であるが、板状の皮革を屈曲して構成したレザースプリングを用いることが好ましい。弾性体１０の介在方法は、弾性体１０のどちらか一方端部を、前足部７の右側面の一部を覆う側壁、あるいは胴筒部８の底面いずれかに固着すれば足りるものである。
【００３４】
前足部７、胴筒部８共に素材は靴本底に用いられる皮革を用いている。これは十分な強度を持たせるためであり、具体的には例えばベンズやドードー等を利用可能である。
【符号の説明】
【００３５】
１・・保形具          ２・・前足部          ３・・後足部
３ａ・・正面側側壁    ３ｂ・・背面側側壁    ４・・架橋部材    
５・・軸              ６・・保形具          ７・・前足部    
８・・胴筒部          ９・・蓋体            ９ａ・・摘み    
１０・・弾性体
【図１】
0003181601.tif 000003
【図２】
0003181601.tif 000004
【図３】
0003181601.tif 000005
【図４】
0003181601.tif 000006
【図５】
0003181601.tif 000007
【図６】
0003181601.tif 000008
【図７】
0003181601.tif 000009
【図８】
0003181601.tif 000010
【図９】
0003181601.tif 000011
【図１０】
0003181601.tif 000012